(57)【特許請求の範囲】
【請求項１】
正極または負極の端子である第一端子を有する第一蓄電素子を備える蓄電装置であって、
前記第一蓄電素子の前記第一端子側に配置される端子側配置部材を備え、
前記端子側配置部材は、
前記第一端子と、前記第一蓄電素子とは異なる第二蓄電素子が有する第二端子とを接続する第一導電部材を収容可能な第一収容部と、
前記第一端子と、前記第一蓄電素子及び前記第二蓄電素子とは異なる第三蓄電素子が有する第三端子とを接続する第二導電部材を、前記第一収容部から導出可能な第一導出部とを有し、
前記第一収容部と前記第一導出部とは、前記端子側配置部材の異なる部分を異なる方向に貫通した開口部である
蓄電装置。
【請求項２】
正極または負極の端子である第一端子を有する第一蓄電素子を備える蓄電装置であって、
前記第一蓄電素子の前記第一端子側に配置される端子側配置部材を備え、
前記端子側配置部材は、
前記第一端子と、前記第一蓄電素子とは異なる第二蓄電素子が有する第二端子とを接続する第一導電部材を収容可能な第一収容部と、
前記第一端子と、前記第一蓄電素子及び前記第二蓄電素子とは異なる第三蓄電素子が有する第三端子とを接続する第二導電部材を、前記第一収容部から導出可能な第一導出部とを有し、
前記端子側配置部材は、さらに、前記第一収容部の外周に形成された壁を有し、
前記第一導出部は、前記壁に形成されている
蓄電装置。
【請求項３】
前記端子側配置部材は、さらに、
前記第三端子と、前記第二蓄電素子の前記第二端子とは異なる方の端子である第四端子とを接続する第三導電部材を収容可能な第二収容部と、
前記第一導出部よりも前記第二収容部の近くに配置され、前記第二導電部材を、前記第二収容部から導出可能な第二導出部とを有する
請求項１または２に記載の蓄電装置。
【請求項４】
前記第二蓄電素子は、前記第一蓄電素子と隣り合う位置に配置される蓄電素子であり、
前記第三蓄電素子は、前記第一蓄電素子と隣り合う位置とは異なる位置に配置される蓄電素子であり、
前記蓄電装置は、
前記第二蓄電素子を備えることなく前記第三蓄電素子を備え、
前記第一導電部材を備えることなく前記第二導電部材を備えている
請求項１〜３のいずれか１項に記載の蓄電装置。
【発明の詳細な説明】
【技術分野】
【０００１】
本発明は、蓄電素子を備える蓄電装置に関する。
【背景技術】
【０００２】
蓄電素子を備える蓄電装置において、従来、隣り合う蓄電素子の電極端子同士をバスバーで繋いだ構成が知られている（例えば、特許文献１参照）。
【先行技術文献】
【特許文献】
【０００３】
【特許文献１】特開２０１０−２２５５８３号公報
【発明の概要】
【発明が解決しようとする課題】
【０００４】
しかしながら、上記従来の蓄電装置においては、配置される蓄電素子の個数が予め定められており、当該個数に合わせて設計されているため、当該個数を変更するのが困難であるという問題がある。つまり、上記従来の蓄電装置では、蓄電素子の個数に合わせてバスバーの配置や当該バスバーを保持する樹脂部材が設計されているため、当該個数を変更するには、当該樹脂部材の形状を変更するなどの必要が生じる。
【０００５】
本発明は、上記問題を解決するためになされたものであり、蓄電素子の個数を容易に変更することができる蓄電装置を提供することを目的とする。
【課題を解決するための手段】
【０００６】
上記目的を達成するために、本発明の一態様に係る蓄電装置は、正極または負極の端子である第一端子を有する第一蓄電素子を備える蓄電装置であって、前記第一蓄電素子の前記第一端子側に配置される端子側配置部材を備え、前記端子側配置部材は、前記第一端子と、前記第一蓄電素子とは異なる第二蓄電素子が有する第二端子とを接続する第一導電部材を収容可能な第一収容部と、前記第一端子と、前記第一蓄電素子及び前記第二蓄電素子とは異なる第三蓄電素子が有する第三端子とを接続する第二導電部材を、前記第一収容部から導出可能な第一導出部とを有する。
【０００７】
これによれば、蓄電装置の端子側配置部材は、第一蓄電素子の第一端子及び第二蓄電素子の第二端子を接続する第一導電部材を収容可能な第一収容部と、当該第一端子及び第三蓄電素子の第三端子を接続する第二導電部材を第一収容部から導出可能な第一導出部とを有している。つまり、第一収容部に第一導電部材を配置すれば、第一蓄電素子に第二蓄電素子を接続することができ、第一導出部に第二導電部材を配置すれば、第一蓄電素子に第三蓄電素子を接続することができる。このため、例えば、第一蓄電素子に第二蓄電素子が接続され第二蓄電素子に第三蓄電素子が接続された状態から、第二蓄電素子を取り外して第一蓄電素子に第三蓄電素子を接続することで、蓄電素子の数を減らすことができる。このように、当該蓄電装置によれば、蓄電素子の取り付け及び取り外しを容易に行うことができるため、蓄電素子の個数を容易に変更することができる。
【０００８】
また、前記第一収容部と前記第一導出部とは、前記端子側配置部材の異なる部分を異なる方向に貫通した開口部であることにしてもよい。
【０００９】
これによれば、端子側配置部材に形成された第一収容部と第一導出部とは、端子側配置部材の異なる部分を異なる方向に貫通した開口部である。つまり、第一収容部及び第一導出部を、第二蓄電素子及び第三蓄電素子の方向に向けて開口させることで、第一収容部を介して第一蓄電素子及び第二蓄電素子を容易に接続することができ、第一導出部を介して第一蓄電素子及び第三蓄電素子を容易に接続することができる。
【００１０】
また、前記端子側配置部材は、さらに、前記第一収容部の外周に形成された壁を有し、
前記第一導出部は、前記壁に形成されていることにしてもよい。
【００１１】
これによれば、端子側配置部材において、第一収容部の外周には壁が形成され、当該壁に第一導出部が形成されているため、第一収容部の外周に壁を形成した場合でも、容易に第一導出部を形成することができる。
【００１２】
また、前記端子側配置部材は、さらに、前記第三端子と、前記第二蓄電素子の前記第二端子とは異なる方の端子である第四端子とを接続する第三導電部材を収容可能な第二収容部と、前記第一導出部よりも前記第二収容部の近くに配置され、前記第二導電部材を、前記第二収容部から導出可能な第二導出部とを有することにしてもよい。
【００１３】
これによれば、端子側配置部材は、第三蓄電素子及び第二蓄電素子を接続する第三導電部材を収容可能な第二収容部と、第三蓄電素子及び第一蓄電素子を接続する第二導電部材を第二収容部から導出可能な第二導出部とを有している。これにより、例えば、第三蓄電素子に第二蓄電素子が接続され第二蓄電素子に第一蓄電素子が接続された状態から、第二蓄電素子を取り外して第三蓄電素子に第一蓄電素子を接続することで、蓄電素子の数を減らすことができる。このように、当該蓄電装置によれば、蓄電素子の取り付け及び取り外しを容易に行うことができるため、蓄電素子の個数を容易に変更することができる。
【００１４】
また、前記第二蓄電素子は、前記第一蓄電素子と隣り合う位置に配置される蓄電素子であり、前記第三蓄電素子は、前記第一蓄電素子と隣り合う位置とは異なる位置に配置される蓄電素子であり、前記蓄電装置は、前記第二蓄電素子を備えることなく前記第三蓄電素子を備え、前記第一導電部材を備えることなく前記第二導電部材を備えていることにしてもよい。
【００１５】
これによれば、蓄電装置は、第一蓄電素子と、第一蓄電素子とは隣り合わない第三蓄電素子とが、第二導電部材によって接続された構成を有している。つまり、通常は、隣り合った蓄電素子同士が接続されるが、当該蓄電装置によれば、隣り合っていない蓄電素子同士を接続することができる。このように、当該蓄電装置によれば、蓄電素子の配置の自由度を向上させることができている。
【発明の効果】
【００１６】
本発明によれば、蓄電素子の個数を容易に変更することができる蓄電装置を提供することができる。
【図面の簡単な説明】
【００１７】
【図１】本発明の実施の形態に係る蓄電装置の外観を示す斜視図である。
【図２】本発明の実施の形態に係る蓄電装置を分解した場合の各構成要素を示す分解斜視図である。
【図３】本発明の実施の形態に係る蓄電素子の構成を示す斜視図である。
【図４】本発明の実施の形態に係る端子側配置部材の構成を示す斜視図である。
【図５】本発明の実施の形態に係る端子側配置部材と蓄電素子及びバスバーとの位置関係を示す斜視図である。
【図６】本発明の実施の形態に係る複数の蓄電素子をバスバー及び導電部材で接続した構成を示す斜視図である。
【図７】本発明の実施の形態に係る複数の蓄電素子をバスバー及び導電部材で接続した構成を示す平面図である。
【図８】本発明の実施の形態に係る蓄電装置が１４個の蓄電素子を備える場合の構成を示す斜視図である。
【図９】本発明の実施の形態に係る蓄電装置が１４個の蓄電素子を備える場合の構成を示す平面図である。
【発明を実施するための形態】
【００１８】
以下、図面を参照しながら、本発明の実施の形態に係る蓄電装置について説明する。なお、以下で説明する実施の形態は、本発明の一具体例を示すものである。以下の実施の形態で示される数値、形状、材料、構成要素、構成要素の配置位置及び接続形態などは、一例であり、本発明を限定する主旨ではない。また、以下の実施の形態に係る構成要素のうち、最上位概念を示す独立請求項に記載されていない構成要素については、任意の構成要素として説明される。また、各図は、蓄電装置の説明のための図であり、必ずしも厳密に図示したものではない。
【００１９】
（実施の形態）
まず、蓄電装置１の構成について、説明する。
【００２０】
図１は、本発明の実施の形態に係る蓄電装置１の外観を示す斜視図である。また、図２は、本発明の実施の形態に係る蓄電装置１を分解した場合の各構成要素を示す分解斜視図である。
【００２１】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。例えば、Ｘ軸方向が上下方向になってもかまわない。以下の図においても、同様である。
【００２２】
蓄電装置１は、外部からの電気を充電し、また外部へ電気を放電することができる装置である。例えば、蓄電装置１は、電力貯蔵用途や電源用途などに使用される電池モジュールである。中でも、本実施の形態に係る蓄電装置１は、据置用の電源装置として好適に使用される。
【００２３】
まず、図１に示すように、蓄電装置１は、外装体本体１００と前壁部２００と上壁部３００とからなる外装体１０を備えている。また、図２に示すように、蓄電装置１は、外装体１０の内方に、底面側配置部材２０と、蓄電素子４０と、端子側配置部材５０と、バスバー６０と、配線基板７０と、計測基板８１と、主回路基板８２とを備えている。
【００２４】
外装体１０は、蓄電装置１の外装体を構成する矩形状（箱型）の容器（モジュールケース）である。外装体１０は、蓄電素子４０や基板（配線基板７０、計測基板８１及び主回路基板８２）などを所定の位置に配置し、蓄電素子４０や当該基板などを衝撃などから保護する。外装体１０は、例えば、アルミニウムや鉄等の金属などの剛性の高い材料により構成されている。なお、外装体１０は、ポリプロピレン（ＰＰ）、ポリカーボネート（ＰＣ）、ポリブチレンテレフタレート（ＰＢＴ）またはＡＢＳ樹脂等の樹脂材料により構成されていてもかまわない。
【００２５】
ここで、外装体１０は、外装体本体１００と前壁部２００と上壁部３００とを有している。外装体本体１００は、外装体１０の本体を構成する部材であり、矩形状の底壁と、当該底壁から立設した３つの矩形状の側壁とを有している。外装体本体１００は、板状の部材を折り曲げた形状を有している。また、前壁部２００は、外装体１０のもう１つの側壁を構成する矩形状かつ板状の部材である。つまり、外装体本体１００と前壁部２００とで、有底矩形筒状の部材を形成する。
【００２６】
上壁部３００は、外装体１０の上壁（蓋）を構成する部材であり、外装体本体１００及び前壁部２００からなる有底矩形筒状の部材の開口を塞ぐ矩形状かつ板状の部材である。つまり、外装体本体１００及び前壁部２００の内方に、蓄電素子４０や基板（配線基板７０、計測基板８１及び主回路基板８２）等が配置された状態で、当該開口部が上壁部３００で閉止される。
【００２７】
底面側配置部材２０は、蓄電素子４０の底面側に配置される扁平な矩形状の部材であり、蓄電素子４０を下方から支持する。つまり、底面側配置部材２０は、外装体本体１００の底壁に載置されて当該底壁に取り付けられて固定され、蓄電素子４０を外装体１０に対して所定位置で支持する。
【００２８】
具体的には、底面側配置部材２０は、絶縁性の材料により構成されており、上面に形成された凹部に蓄電素子４０が挿入されて、蓄電素子４０を外装体１０内で固定する。このようにして、底面側配置部材２０は、蓄電素子４０が外装体１０等の導電性の部材に接触することを回避するとともに、蓄電素子４０等を振動や衝撃等から保護する。
【００２９】
なお、底面側配置部材２０は、どのような絶縁性の材料で形成されていてもかまわないが、例えばガラス繊維によって強化されたポリブチレンテレフタレート（ＧＦ強化ＰＢＴ）や、ポリフェニレンサルファイド（ＰＰＳ）等の耐熱性の高い樹脂で形成されるのが好ましい。これにより、蓄電素子４０が発熱した場合でも、底面側配置部材２０が損傷して他の蓄電素子４０に影響を及ぼすのを抑制することができる。なお、蓄電素子４０の絶縁性を確保できるのであれば、底面側配置部材２０は、絶縁性の材料で形成されていなくともかまわない。
【００３０】
蓄電素子４０は、電気を充電し、また、電気を放電することのできる二次電池（単電池）であり、より具体的には、リチウムイオン二次電池などの非水電解質二次電池である。本実施の形態では、外装体１０内に１３個の蓄電素子４０が収容されているが、空いたスペースにもう１つの蓄電素子４０を追加して、１４個の蓄電素子４０が収容された構成でもかまわない。詳細については、後述する。また、蓄電素子４０は、非水電解質二次電池には限定されず、非水電解質二次電池以外の二次電池であってもよいし、キャパシタであってもよい。蓄電素子４０の構成の詳細については、後述する。
【００３１】
端子側配置部材５０は、蓄電素子４０の電極端子側に配置される扁平な矩形状の部材であり、蓄電素子４０を上方から支持する。つまり、端子側配置部材５０は、蓄電素子４０の上方に配置されており、底面側配置部材２０とともに、蓄電素子４０を上下両側（Ｚ軸方向）から挟み込むことで、蓄電素子４０を外装体１０に対して所定位置で支持する。
【００３２】
具体的には、端子側配置部材５０は、絶縁性の材料により構成されており、下面に形成された凹部に蓄電素子４０が挿入されて、蓄電素子４０を外装体１０内で固定する。このようにして、端子側配置部材５０は、蓄電素子４０が外装体１０等の導電性の部材に接触することを回避するとともに、蓄電素子４０等を振動や衝撃等から保護する。
【００３３】
また、端子側配置部材５０には、バスバー６０及び配線基板７０が載置される。つまり、端子側配置部材５０は、バスバー６０及び配線基板７０を蓄電素子４０に取り付ける際の蓄電素子４０に対する位置決めの機能も有する。なお、端子側配置部材５０は、どのような絶縁性の材料で形成されていてもかまわないが、コスト面等から、例えばポリプロピレン（ＰＰ）、ポリカーボネート（ＰＣ）またはＡＢＳ樹脂等の樹脂で形成されるのが好ましい。なお、蓄電素子４０やバスバー６０等の絶縁性を確保できるのであれば、端子側配置部材５０は、絶縁性の材料で形成されていなくともかまわない。この端子側配置部材５０の構成の詳細については、後述する。
【００３４】
バスバー６０は、端子側配置部材５０の上方に配置され、複数の蓄電素子４０同士を電気的に接続する金属など導電性の板状部材である。具体的には、バスバー６０は、隣接する蓄電素子４０において、一の蓄電素子４０の正極端子または負極端子と、他の蓄電素子４０の負極端子または正極端子とを接続する。本実施の形態では、バスバー６０は、１３個の蓄電素子４０を直列に接続する。
【００３５】
配線基板７０は、端子側配置部材５０の上方に配置されている。また、蓄電素子４０の電圧を検出するために、配線基板７０は、蓄電装置１が備える蓄電素子４０のうちの少なくとも１つの蓄電素子４０の電極端子（本実施の形態では、全ての蓄電素子４０の正極端子）に一端が接続された配線を有している。また、配線基板７０は、矩形状を有しており、蓄電素子４０の正極端子と負極端子との間に配置される。本実施の形態では、２枚の配線基板７０が配置されているが、配線基板７０の枚数は限定されない。また、配線基板７０に代えて、ハーネス等を用いることもできるが、配線基板７０を用いて電極端子と計測基板８１とを接続することにより、配線の引き回しが容易となり、組付性が向上する。なお、配線基板７０は、サーミスタを実装し、蓄電素子４０の温度を検出することができる構成を有していてもかまわない。
【００３６】
計測基板８１及び主回路基板８２は、蓄電素子４０と外装体１０の側壁との間に配置され、かつ、蓄電装置１が備える蓄電素子４０のうちの少なくとも１つの蓄電素子４０と接続されて、蓄電素子４０の状態を計測及び制御する基板である。具体的には、主回路基板８２は、大電流が流れる主回路部品を実装した基板であり、蓄電素子４０の容器の短側面に対向する外装体１０の側壁の内面に固定される。また、計測基板８１は、小電流が流れる周辺回路部品を実装した基板であり、蓄電素子４０の容器の長側面に対向する外装体１０の側壁の内面に固定される。
【００３７】
次に、蓄電素子４０の構成について、詳細に説明する。
【００３８】
図３は、本発明の実施の形態に係る蓄電素子４０の構成を示す斜視図である。
【００３９】
同図に示すように、蓄電素子４０は、容器４１０、正極端子４３０及び負極端子４４０を備え、容器４１０は、容器蓋部４２０を備えている。また、容器４１０内方には、電極体、正極集電体及び負極集電体が配置されているが、詳細な説明は省略する。
【００４０】
容器４１０は、金属からなる矩形筒状で底を備える筐体本体と、当該筐体本体の開口を閉塞する金属製の容器蓋部４２０とで構成されている。また、容器４１０は、電極体等を内部に収容後、容器蓋部４２０と筐体本体とが溶接等されることにより、内部を密封することができるものとなっている。このように、容器４１０は、同図のＹ軸方向両側の側面に長側面を有し、Ｘ軸方向両側の側面に短側面を有する直方体形状の容器である。なお、容器４１０の材質は、特に限定されないが、例えばステンレス鋼やアルミニウムなど溶接可能な金属であるのが好ましい。
【００４１】
正極端子４３０は、正極集電体を介して、電極体の正極に電気的に接続された電極端子であり、負極端子４４０は、負極集電体を介して、電極体の負極に電気的に接続された電極端子であり、いずれも容器蓋部４２０に取り付けられている。つまり、正極端子４３０及び負極端子４４０は、電極体に蓄えられている電気を蓄電素子４０の外部空間に導出し、また、電極体に電気を蓄えるために蓄電素子４０の内部空間に電気を導入するための金属製の電極端子である。
【００４２】
次に、端子側配置部材５０の構成について、詳細に説明する。
【００４３】
図４は、本発明の実施の形態に係る端子側配置部材５０の構成を示す斜視図である。また、図５は、本発明の実施の形態に係る端子側配置部材５０と蓄電素子４０及びバスバー６０との位置関係を示す斜視図である。
【００４４】
これらの図に示すように、端子側配置部材５０は、複数の蓄電素子４０（本実施の形態では、１３個の蓄電素子４０１〜４１３）の電極端子側に配置される部材であり、上方に、複数のバスバー６０（本実施の形態では、１１個のバスバー６０）及び導電部材６１〜６４が配置される。具体的には、端子側配置部材５０は、導電部材配置部５１０〜５５０を有している。
【００４５】
まず、導電部材配置部５１０及び５５０について、説明する。
【００４６】
導電部材配置部５１０は、蓄電素子４０の電極端子に接続される導電部材６１が配置される部位である。ここで、導電部材６１は、複数の蓄電素子４０のうちの端部（Ｘ軸方向プラス側及びＹ軸方向マイナス側の端部）に配置された蓄電素子４０１の正極端子４３０に接続される導電性の部材である。なお、導電部材６１は、本実施の形態では導電線（金属配線）であるが、金属製の棒状部材や板状部材など、どのような形状であってもかまわない。
【００４７】
具体的には、導電部材配置部５１０は、導電部材６１の一端部が配置される矩形状の開口部を有しており、当該開口部内に蓄電素子４０１の正極端子４３０のボルト部分が挿入され、ナットによって、当該正極端子４３０に導電部材６１の一端部が接続される。また、当該開口部の周りには上方（Ｚ軸方向）に立設した壁が形成され、導電部材６１が他の導電部材と接触するのを防いでいる。なお、導電部材６１の他端部は、外装体１０の前壁部２００に配置された正極側の外部接続端子に接続される。
【００４８】
導電部材配置部５５０は、蓄電素子４０の電極端子に接続される導電部材６３が配置される部位である。ここで、導電部材６３は、複数の蓄電素子４０のうちの端部（Ｘ軸方向マイナス側及びＹ軸方向マイナス側の端部）に配置された蓄電素子４１３の負極端子４４０に接続される導電性の部材である。なお、導電部材６３は、本実施の形態では導電線（金属配線）であるが、金属製の棒状部材や板状部材など、どのような形状であってもかまわない。
【００４９】
具体的には、導電部材配置部５５０は、導電部材６３の一端部が配置される矩形状の開口部を有しており、当該開口部内に蓄電素子４１３の負極端子４４０のボルト部分が挿入され、ナットによって、当該負極端子４４０に導電部材６３の一端部が接続される。また、当該開口部の周りには上方（Ｚ軸方向）に立設した壁が形成され、導電部材６３が他の導電部材と接触するのを防いでいる。なお、導電部材６３の他端部は、外装体１０の前壁部２００に配置された負極側の外部接続端子に接続される。
【００５０】
次に、導電部材配置部５２０について、説明する。
【００５１】
導電部材配置部５２０は、２つの蓄電素子４０の電極端子を接続するバスバー６０が配置される部位である。ここで、バスバー６０は、複数の蓄電素子４０のうちの隣り合う蓄電素子４０の正極端子４３０と負極端子４４０とを接続する導電部材である。具体的には、導電部材配置部５２０は、載置部５２１と、壁部５２２と、突起部５２３とを有しており、壁部５２２によって開口部である収容部５２４が形成されている。
【００５２】
載置部５２１は、バスバー６０が載置される平板形状の部位である。また、突起部５２３は、壁部５２２の内面から収容部５２４内方に突出した部位であり、バスバー６０の上方に配置される。つまり、突起部５２３は、載置部５２１とでバスバー６０を挟み込んで、バスバー６０を収容部５２４内で固定する。
【００５３】
壁部５２２は、バスバー６０が載置部５２１に載置された場合にバスバー６０の外周を囲う環状の壁であり、上方（Ｚ軸方向）に向けて立設して配置されている。ここで、壁部５２２は、バスバー６０の外周形状に沿って形成されており、バスバー６０が他の導電部材と接触するのを防ぐとともに、バスバー６０を配置するためのガイドの役割も担っている。
【００５４】
また、壁部５２２は、上方（Ｚ軸方向）から見て、長方形状の２つの角部が欠けた六角形状を有しており、バスバー６０は、外周形状が当該六角形状と同じ形状となっている。つまり、バスバー６０は、外周形状が回転対称ではない形状を有しており、壁部５２２は、当該形状に沿って形成されているため、バスバー６０が間違えた向きに配置されるのを防ぐこともできている。
【００５５】
収容部５２４は、壁部５２２で囲まれた空間（開口部）であり、バスバー６０が収容される。言い換えれば、収容部５２４の外周に壁部５２２が形成されている。つまり、収容部５２４は、上方（Ｚ軸方向）から見て、バスバー６０の外周形状と同じ形状を有している。
【００５６】
この収容部５２４に、隣り合う蓄電素子４０の正極端子４３０と負極端子４４０とが挿入され、バスバー６０が接続される。つまり、収容部５２４に正極端子４３０のボルト部が挿入され、ナットによって、正極端子４３０にバスバー６０の一端部が接続される。また、収容部５２４に負極端子４４０のボルト部が挿入され、ナットによって、負極端子４４０にバスバー６０の他端部が接続される。
【００５７】
次に、導電部材配置部５３０について、説明する。
【００５８】
導電部材配置部５３０は、蓄電素子４０の電極端子に接続される導電部材６２またはバスバー６０が配置される部位である。本実施の形態では、導電部材配置部５３０には、導電部材６２が配置される。
【００５９】
導電部材６２は、複数の蓄電素子４０のうちのＸ軸方向プラス側及びＹ軸方向プラス側の端部に配置された蓄電素子４０６の負極端子４４０と、Ｘ軸方向マイナス側及びＹ軸方向プラス側の端部に配置された蓄電素子４０７の正極端子４３０とに接続される導電性の部材である。つまり、導電部材６２は、隣り合わない２つの蓄電素子４０を接続する部材である。なお、導電部材６２は、本実施の形態では導電線（金属配線）であるが、金属製の棒状部材や板状部材など、どのような形状であってもかまわない。
【００６０】
ここで、導電部材配置部５３０は、載置部５３１と、壁部５３２と、突起部５３３とを有しており、壁部５３２によって第一収容部５３４が形成されている。また、壁部５３２には、第一導出部５３５が形成されている。
【００６１】
つまり、導電部材配置部５３０は、壁部５３２に第一導出部５３５が形成されている点で、導電部材配置部５２０と異なっているが、導電部材配置部５３０の載置部５３１、壁部５３２、突起部５３３及び第一収容部５３４の構成は、導電部材配置部５２０の載置部５２１、壁部５２２、突起部５２３及び収容部５２４の構成と同様である。このため、以下では、載置部５３１、壁部５３２、突起部５３３及び第一収容部５３４の構成の詳細については、簡略化して説明する。
【００６２】
載置部５３１は、バスバー６０が載置可能な平板形状の部位である。また、突起部５３３は、壁部５３２の内面から第一収容部５３４内方に突出した部位であり、バスバー６０が載置部５３１に載置された場合に、バスバー６０の上方に配置可能に形成されている。つまり、突起部５３３は、載置部５３１とでバスバー６０を挟み込んで、バスバー６０を第一収容部５３４内で固定することができる。なお、本実施の形態では、このバスバー６０は配置されていない。
【００６３】
壁部５３２は、バスバー６０が載置部５３１に載置された場合にバスバー６０の外周を囲う環状の壁であり、上方（Ｚ軸方向）に向けて立設して配置されている。第一収容部５３４は、バスバー６０を収容可能な、壁部５３２で囲まれた空間（開口部）である。つまり、第一収容部５３４の外周に壁部５３２が形成されており、第一収容部５３４内にバスバー６０を配置可能な構成となっている。なお、上述の通り、本実施の形態では、このバスバー６０は配置されていない。
【００６４】
第一導出部５３５は、導電部材６２を第一収容部５３４から導出可能に形成された矩形状の開口である。具体的には、第一導出部５３５は、Ｘ軸方向マイナス側の壁部５３２を矩形状に切り欠いて形成されており、第一導出部５３５内に導電部材６２を配置可能な構成となっている。
【００６５】
また、第一収容部５３４と第一導出部５３５とは、端子側配置部材５０の異なる部分を異なる方向に貫通した開口部である。つまり、第一収容部５３４は、導電部材配置部５３０をＺ軸方向に貫通して形成された開口部であり、第一導出部５３５は、導電部材配置部５３０の壁部５３２をＸ軸方向に貫通して形成された開口部である。
【００６６】
なお、第一導出部５３５は、Ｘ軸方向プラス側の壁部５３２をＸ軸方向に貫通して形成されていてもよいし、Ｙ軸方向プラス側またはマイナス側の壁部５３２をＹ軸方向に貫通して形成されていてもかまわない。また、第一導出部５３５は、矩形状の切り欠きには限定されず、半円形状などどのような形状の切り欠きであってもよいし、切り欠きではなく矩形状や円形状等の貫通孔であってもかまわない。
【００６７】
次に、導電部材配置部５４０について、説明する。
【００６８】
導電部材配置部５４０は、蓄電素子４０の電極端子に接続される導電部材６２またはバスバーが配置される部位である。本実施の形態では、導電部材配置部５４０には、導電部材６２が配置される。具体的には、導電部材配置部５４０は、載置部５４１と、壁部５４２とを有しており、壁部５４２によって第二収容部５４４が形成されている。また、壁部５４２には、第二導出部５４５が形成されている。
【００６９】
載置部５４１は、バスバーが載置可能な平板形状の部位である。壁部５４２は、当該バスバーが載置部５４１に載置された場合に当該バスバーの外周を囲う環状の壁であり、上方（Ｚ軸方向）に向けて立設して配置されている。第二収容部５４４は、当該バスバーを収容可能な、壁部５４２で囲まれた空間（開口部）である。つまり、第二収容部５４４の外周に壁部５４２が形成されており、第二収容部５４４内に当該バスバーを配置可能な構成となっている。なお、本実施の形態では、当該バスバーは配置されていない。
【００７０】
第二導出部５４５は、導電部材６２を第二収容部５４４から導出可能に形成された矩形状の開口である。具体的には、第二導出部５４５は、Ｘ軸方向プラス側の壁部５４２を矩形状に切り欠いて形成されており、第二導出部５４５内に導電部材６２を配置可能な構成となっている。
【００７１】
また、第二収容部５４４と第二導出部５４５とは、端子側配置部材５０の異なる部分を異なる方向に貫通した開口部である。つまり、第二収容部５４４は、導電部材配置部５４０をＺ軸方向に貫通し、第二導出部５４５は、導電部材配置部５４０の壁部５４２をＸ軸方向に貫通して形成された開口部である。
【００７２】
なお、第二導出部５４５は、Ｘ軸方向マイナス側の壁部５４２をＸ軸方向に貫通して形成されていてもよいし、Ｙ軸方向プラス側またはマイナス側の壁部５４２をＹ軸方向に貫通して形成されていてもかまわない。また、第二導出部５４５は、矩形状の切り欠きには限定されず、半円形状などどのような形状の切り欠きであってもよいし、切り欠きではなく矩形状や円形状等の貫通孔であってもかまわない。
【００７３】
次に、複数の蓄電素子４０（蓄電素子４０１〜４１３）を、バスバー６０及び導電部材６１〜６４で接続する構成について、具体的に説明する。
【００７４】
図６は、本発明の実施の形態に係る複数の蓄電素子４０をバスバー６０及び導電部材６１〜６４で接続した構成を示す斜視図である。具体的には、同図は、図１に示された蓄電装置１から、上壁部３００及び配線基板７０を取り外した場合の構成を示す斜視図である。
【００７５】
また、図７は、本発明の実施の形態に係る複数の蓄電素子４０をバスバー６０及び導電部材６１〜６４で接続した構成を示す平面図である。つまり、同図は、図６に示された構成をＺ軸方向プラス側から見た場合の上面図である。
【００７６】
これらの図に示すように、導電部材配置部５１０に配置された導電部材６１によって、前壁部２００に設けられた外部接続端子２１０の正極側端子と、蓄電素子４０１の正極端子４３０とが接続される。また、導電部材配置部５２０に配置されたバスバー６０によって、蓄電素子４０１の負極端子４４０と蓄電素子４０２の正極端子４３０とが接続され、同様にして、蓄電素子４０６の正極端子４３０まで接続される。
【００７７】
また、導電部材配置部５３０及び５４０に配置された導電部材６２によって、蓄電素子４０６の負極端子４４０と蓄電素子４０７の正極端子４３０とが接続される。また、導電部材配置部５２０に配置されたバスバー６０によって、蓄電素子４０７の負極端子４４０と蓄電素子４０８の正極端子４３０とが接続され、同様にして、蓄電素子４１３の正極端子４３０まで接続される。
【００７８】
また、導電部材配置部５５０に配置された導電部材６３によって、蓄電素子４１３の負極端子４４０と、主回路基板８２とが接続される。また、導電部材６４によって、主回路基板８２と、前壁部２００に設けられた外部接続端子２１０の負極側端子とが接続される。なお、導電部材６４は、本実施の形態では導電線（金属配線）であるが、金属製の棒状部材や板状部材など、どのような形状であってもかまわない。
【００７９】
以上のようにして、１３個の蓄電素子４０を備える蓄電装置１を構成することができる。ここで、蓄電装置１は、１４個の蓄電素子４０を備える構成に変更することができる。このため、以下に、蓄電装置１が１４個の蓄電素子４０を備える場合の構成について、説明する。
【００８０】
図８は、本発明の実施の形態に係る蓄電装置１が１４個の蓄電素子４０を備える場合の構成を示す斜視図である。具体的には、同図は、図５に対応する図である。また、図９は、本発明の実施の形態に係る蓄電装置１が１４個の蓄電素子４０を備える場合の構成を示す平面図である。具体的には、同図は、図７に対応する図である。
【００８１】
これらの図に示すように、蓄電装置１は、導電部材６２に代えて、バスバー６０ａ及び６５を備えている。また、蓄電装置１は、蓄電素子４１４を加え、１４個の蓄電素子４０（蓄電素子４０１〜４１４）を備えている。
【００８２】
バスバー６０ａは、バスバー６０と同じ形状を有しており、蓄電素子４０６の負極端子４４０と蓄電素子４１４の正極端子４３０とを接続する。具体的には、バスバー６０ａは、導電部材配置部５３０の載置部５３１に載置され、突起部５３３によって第一収容部５３４内で固定される。
【００８３】
つまり、第一収容部５３４に、隣り合う蓄電素子４０の正極端子４３０と負極端子４４０とが挿入され、バスバー６０ａが接続される。具体的には、第一収容部５３４に、蓄電素子４０６の負極端子４４０のボルト部が挿入され、ナットによって、当該負極端子４４０にバスバー６０ａの一端部が接続される。また、第一収容部５３４に、蓄電素子４１４の正極端子４３０のボルト部が挿入され、ナットによって、当該正極端子４３０にバスバー６０ａの他端部が接続される。
【００８４】
バスバー６５は、矩形状のバスバーであり、蓄電素子４１４の負極端子４４０と蓄電素子４０７の正極端子４３０とを接続する。具体的には、バスバー６５は、導電部材配置部５４０の載置部５４１に載置され、第二収容部５４４内で固定される。
【００８５】
ここで、導電部材配置部５４０の壁部５４２は、バスバー６５の外周形状に沿って形成されており、バスバー６５が他の導電部材と接触するのを防ぐとともに、バスバー６５を配置するためのガイドの役割も担っている。また、壁部５４２は、上方（Ｚ軸方向）から見て、長方形状を有しており、バスバー６５は、外周形状が当該長方形状と同じ形状となっている。つまり、第二収容部５４４は、上方（Ｚ軸方向）から見て、バスバー６５の外周形状と同じ形状を有している。
【００８６】
この第二収容部５４４に、隣り合う蓄電素子４０の正極端子４３０と負極端子４４０とが挿入され、バスバー６５が接続される。つまり、第二収容部５４４に、蓄電素子４１４の負極端子４４０のボルト部が挿入され、ナットによって、当該負極端子４４０にバスバー６５の一端部が接続される。また、第二収容部５４４に、蓄電素子４０７の正極端子４３０のボルト部が挿入され、ナットによって、当該正極端子４３０にバスバー６５の他端部が接続される。
【００８７】
このようにして、導電部材配置部５３０に配置されたバスバー６０ａによって、蓄電素子４０６の負極端子４４０と蓄電素子４１４の正極端子４３０とが接続される。また、導電部材配置部５４０に配置されたバスバー６５によって、蓄電素子４１４の負極端子４４０と蓄電素子４０７の正極端子４３０とが接続される。
【００８８】
以上の構成によれば、蓄電素子４０６（第一蓄電素子）と蓄電素子４１４（第一蓄電素子とは異なる第二蓄電素子）とは、隣り合う位置に配置され、蓄電素子４０６（第一蓄電素子）と蓄電素子４０７（第一蓄電素子及び第二蓄電素子とは異なる第三蓄電素子）とは、隣り合う位置とは異なる位置に配置されている。
【００８９】
そして、導電部材配置部５３０の第一収容部５３４は、蓄電素子４０６の負極端子４４０（第一蓄電素子が有する第一端子）と、蓄電素子４１４の正極端子４３０（第二蓄電素子が有する第二端子）とを接続するバスバー６０ａ（第一導電部材）が配置可能に形成されている。
【００９０】
また、導電部材配置部５３０の第一導出部５３５は、蓄電素子４０６の負極端子４４０（第一蓄電素子が有する第一端子）と、蓄電素子４０７の正極端子４３０（第三蓄電素子が有する第三端子）とを接続する導電部材６２（第二導電部材）が配置可能に形成されている。
【００９１】
また、導電部材配置部５４０の第二収容部５４４は、蓄電素子４０７の正極端子４３０（第三蓄電素子が有する第三端子）と、蓄電素子４１４の負極端子４４０（第二蓄電素子の第二端子とは異なる方の端子である第四端子）とを接続するバスバー６５（第三導電部材）が配置可能に形成されている。
【００９２】
また、導電部材配置部５４０の第二導出部５４５は、第一導出部５３５よりも第二収容部５４４の近くに配置され、かつ、導電部材６２（第二導電部材）が配置可能に形成されている。
【００９３】
そして、蓄電装置１が１３個の蓄電素子４０を備える場合には、蓄電装置１は、蓄電素子４１４（第二蓄電素子）、バスバー６０ａ（第一導電部材）及びバスバー６５を備えることなく、導電部材６２（第二導電部材）を備えている。
【００９４】
また、蓄電装置１が１４個の蓄電素子４０を備える場合には、蓄電装置１は、導電部材６２（第二導電部材）を備えることなく、蓄電素子４１４（第二蓄電素子）、バスバー６０ａ（第一導電部材）及びバスバー６５を備えている。
【００９５】
以上のように、本発明の実施の形態に係る蓄電装置１によれば、端子側配置部材５０は、第一蓄電素子の第一端子及び第二蓄電素子の第二端子を接続する第一導電部材を収容可能な第一収容部５３４と、当該第一端子及び第三蓄電素子の第三端子を接続する第二導電部材を第一収容部５３４から導出可能な第一導出部５３５とを有している。つまり、第一収容部５３４に第一導電部材を配置すれば、第一蓄電素子に第二蓄電素子を接続することができ、第一導出部５３５に第二導電部材を配置すれば、第一蓄電素子に第三蓄電素子を接続することができる。このため、例えば、第一蓄電素子に第二蓄電素子が接続され第二蓄電素子に第三蓄電素子が接続された状態から、第二蓄電素子を取り外して第一蓄電素子に第三蓄電素子を接続することで、蓄電素子４０の数を減らすことができる。このように、蓄電装置１によれば、蓄電素子４０の取り付け及び取り外しを容易に行うことができるため、蓄電素子４０の個数を容易に変更することができる。また、蓄電素子４０の個数を変更しても端子側配置部材５０や外装体１０などの共通化を図ることができているため、低コストで、蓄電素子４０の個数が異なる蓄電装置１を構成することができる。
【００９６】
また、端子側配置部材５０に形成された第一収容部５３４と第一導出部５３５とは、端子側配置部材５０の異なる部分を異なる方向に貫通した開口部である。つまり、第一収容部５３４及び第一導出部５３５を、第二蓄電素子及び第三蓄電素子の方向に向けて開口させることで、第一収容部５３４を介して第一蓄電素子及び第二蓄電素子を容易に接続することができ、第一導出部５３５を介して第一蓄電素子及び第三蓄電素子を容易に接続することができる。
【００９７】
また、端子側配置部材５０において、第一収容部５３４の外周には壁部５３２が形成され、壁部５３２に第一導出部５３５が形成されているため、第一収容部５３４の外周に壁部５３２を形成した場合でも、容易に第一導出部５３５を形成することができる。
【００９８】
また、端子側配置部材５０は、第三蓄電素子及び第二蓄電素子を接続する第三導電部材を収容可能な第二収容部５４４と、第三蓄電素子及び第一蓄電素子を接続する第二導電部材を第二収容部５４４から導出可能な第二導出部５４５とを有している。これにより、例えば、第三蓄電素子に第二蓄電素子が接続され第二蓄電素子に第一蓄電素子が接続された状態から、第二蓄電素子を取り外して第三蓄電素子に第一蓄電素子を接続することで、蓄電素子４０の数を減らすことができる。このように、蓄電装置１によれば、蓄電素子４０の取り付け及び取り外しを容易に行うことができるため、蓄電素子４０の個数を容易に変更することができる。
【００９９】
また、蓄電装置１は、第一蓄電素子と、第一蓄電素子とは隣り合わない第三蓄電素子とが、第二導電部材によって接続された構成を有している。つまり、通常は、隣り合った蓄電素子４０同士が接続されるが、蓄電装置１によれば、隣り合っていない蓄電素子４０同士を接続することができる。このように、蓄電装置１によれば、蓄電素子４０の配置の自由度を向上させることができている。
【０１００】
以上、本発明の実施の形態に係る蓄電装置１について説明したが、本発明は、上記実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。また、上記実施の形態に含まれる構成要素を任意に組み合わせて構築される形態も、本発明の範囲内に含まれる。
【０１０１】
例えば、上記実施の形態では、蓄電素子４１４を取り外した場合に蓄電素子４０６と蓄電素子４０７とを接続する導電部材６２を配置するために、導電部材配置部５３０に第一導出部５３５が形成され、導電部材配置部５４０に第二導出部５４５が形成されていることとした。しかし、第一導出部５３５及び第二導出部５４５の双方が形成されていなくともよく、第一導出部５３５及び第二導出部５４５のうちのいずれかが形成されていない構成でもかまわない。また、取り外し可能な蓄電素子は蓄電素子４１４には限定されず、複数の蓄電素子４０のうちのいずれの蓄電素子でもかまわない。この場合、当該取り外し可能な蓄電素子に対応する導電部材配置部に、導電部材を導出する導出部が形成される。
【０１０２】
また、上記実施の形態では、第一収容部５３４と第一導出部５３５、及び、第二収容部５４４と第二導出部５４５は、端子側配置部材５０の異なる部分を異なる方向に貫通した開口部であることとした。しかし、第一収容部５３４と第一導出部５３５、または、第二収容部５４４と第二導出部５４５は、端子側配置部材５０の異なる部分を同じ方向に貫通した開口部であってもよい。
【０１０３】
また、上記実施の形態では、導電部材配置部５３０の壁部５３２に第一導出部５３５が形成され、導電部材配置部５４０の壁部５４２に第二導出部５４５が形成されていることとした。しかし、第一導出部５３５は壁部５３２以外の箇所に形成されていてもよいし、第二導出部５４５は壁部５４２以外の箇所に形成されていてもよい。
【０１０４】
また、上記実施の形態では、蓄電装置１が備える蓄電素子４０の個数は、１４個から１個減らして１３個に変更可能な構成であることとした。しかし、蓄電装置１が変更可能な蓄電素子４０の個数は、特に限定されず、例えば、１４個から２個減らして１２個に変更可能な構成であったり、それ以外の個数に変更可能な構成であってもかまわない。この場合、端子側配置部材に第一導出部や第二導出部を形成することで、実現することができる。また、減らす前の蓄電素子４０の個数についても、１４個には限定されず、どのような個数であってもかまわない。また、上記実施の形態では、蓄電素子４０は２列（蓄電素子４０１〜４０６（及び４１４）と、蓄電素子４０７〜４１３の２列）に配置されていることとしたが、これについても、３列以上配置されていてもかまわない。
【産業上の利用可能性】
【０１０５】
本発明は、蓄電素子の個数を容易に変更することができる蓄電装置等に適用できる。
【符号の説明】
【０１０６】
１  蓄電装置
１０  外装体
２０  底面側配置部材
４０、４０１〜４１４  蓄電素子
５０  端子側配置部材
６０、６０ａ、６５  バスバー
６１〜６４  導電部材
７０  配線基板
８１  計測基板
８２  主回路基板
１００  外装体本体
２００  前壁部
２１０  外部接続端子
３００  上壁部
４１０  容器
４２０  容器蓋部
４３０  正極端子
４４０  負極端子
５１０〜５５０  導電部材配置部
５２１、５３１、５４１  載置部
５２２、５３２、５４２  壁部
５２３、５３３  突起部
５２４  収容部
５３４  第一収容部
５３５  第一導出部
５４４  第二収容部
５４５  第二導出部
【図１】
0006606888.tif 000002
【図２】
0006606888.tif 000003
【図３】
0006606888.tif 000004
【図４】
0006606888.tif 000005
【図５】
0006606888.tif 000006
【図６】
0006606888.tif 000007
【図７】
0006606888.tif 000008
【図８】
0006606888.tif 000009
【図９】
0006606888.tif 000010